(57)【要約】      （修正有）【課題】待ち時間及び実際に検査にかかる時間を短くしながら、低流量域における検査精度をさらに向上させることができる流量制御装置の検査方法を提供する。【解決手段】流路を流れる流体の流量が所定流量となった、又は、前記流路を流れる流体の圧力が所定圧力となった以降は、検査対象となる流量制御装置４を流量制御状態とするとともに、基準となる流量制御装置５の前記第２バルブ制御部５１には前記第２バルブの開度を一定で保たせて、前記基準となる流量制御装置を流量非制御状態とするように切り替えるようにした。【選択図】図２
2015203898.tif 000002
【特許請求の範囲】
【請求項１】
第１バルブ、流体の流量を測定する第１流量センサ、及び、前記第１バルブの開度を制御する第１バルブ制御部を備えた検査対象となる流量制御装置と、基準となる第２流量センサと、を用い、流体が流れる流路上に、上流側から前記検査対象となる流量制御装置、前記基準となる第２流量センサの順番で直列に設けた前記検査対象となる流量制御装置の検査方法であって、
前記流路を流れる流体の流量が所定流量となる、又は、前記流路を流れる流体の圧力が所定圧力となるまでは、設定流量と前記第２流量センサで測定される第２実測流量との偏差に基づいて前記流路を流れる流体の流量を制御させる初期流量制御ステップと、
前記流路を流れる流体の流量が所定流量となった、又は、前期流路を流れる流体の圧力が所定圧力となった以降は、前記第１バルブ制御部に設定流量と前記第１流量センサで測定される第１実測流量の偏差に基づいて前記第１バルブの開度を制御させて前記流路を流れる流体の流量を制御させる流量制御切替ステップと、
設定流量と第１実測流量との偏差に基づいて前記流路を流れる流体の流量が制御されている状態において、前記検査対象となる流量制御装置で測定される第１実測流量を前記基準となる第２流量センサで測定される第２実測流量に基づいて検査する検査ステップとを備えたことを特徴とする流量制御装置の検査方法。
【請求項２】
第２バルブ、基準となる前記第２流量センサ、前記第２バルブの開度を制御する第２バルブ制御部を備えた基準となる流量制御装置が、前記検査対象となる流量制御装置の下流側に設けられており、
前記初期流量制御ステップにおいて、前記検査対象となる流量制御装置の前記第１バルブ制御部には前記第１バルブの開度を一定で保たせて、前記検査対象となる流量制御装置を流量非制御状態とするとともに、前記基準となる流量制御装置には設定流量を与え、前記第２バルブ制御部に設定流量と前記第２流量センサで測定される第２実測流量の偏差に基づいて前記第２バルブの開度を制御させて、前記基準となる流量制御装置を流量制御状態とし、
前記流量制御切替ステップにおいて、前記検査対象となる流量制御装置には設定流量を与え、前記第１バルブ制御部に設定流量と前記第１流量センサで測定される第１実測流量の偏差に基づいて前記第１バルブの開度を制御させて、前記検査対象となる流量制御装置を流量制御状態とするとともに、前記基準となる流量制御装置の前記第２バルブ制御部には前記第２バルブの開度を一定で保たせて、前記基準となる流量制御装置を流量非制御状態とする請求項１記載の流量制御装置の検査方法。
【請求項３】
前記初期流量制御ステップにおいて、前記検査対象となる流量制御装置の前記第１バルブ制御部に前記第１バルブの開度を全開にさせるようにした請求項２記載の流量制御装置の検査方法。
【請求項４】
前記流量制御切替ステップにおいて、前記基準となる流量制御装置の前記第２バルブ制御部に前記第２バルブの開度を全開にさせるようにした請求項２又は３記載の流量制御装置の検査方法。
【請求項５】
前記設定流量として複数の異なる値が設定され、前記検査ステップでは各設定流量において前記検査対象となる流量制御装置で測定される第１実測流量を前記基準となる流量制御装置で測定される第２実測流量に基づいてそれぞれ検査するようにした請求項２乃至４いずれかに記載の流量制御装置の検査方法。
【請求項６】
前記流路を流れる流体の圧力を一定となるように制御する圧力制御装置を前記検査対象となる流量制御装置の上流側、又は、前記検査対象となる流量制御装置と前記基準となる流量制御装置の間にさらに設けるようにした請求項２乃至５いずれかに記載の流量制御装置の検査方法。
【請求項７】
前記検査対象となる流量制御装置の第１流量センサが流体の温度に基づいて流量を測定するものであり、前記基準となる流量制御装置の第２流量センサが流体の圧力に基づいて流量を測定するものにした請求項２乃至６いずれかに記載の流量制御装置の検査方法。
【請求項８】
前記検査ステップが、前記検査対象となる流量制御装置で測定される第１実測流量が、前記基準となる流量制御装置で測定される第２実測流量に対して所定範囲内にあるか否かを検定する検定ステップを含む請求項２乃至７いずれかに記載の流量制御装置の検査方法。
【請求項９】
前記検査ステップが、前記検査対象となる流量制御装置で測定される第１実測流量を前記基準となる流量制御装置で測定される第２実測流量に基づいて校正する校正ステップを含む請求項２乃至８いずれかに記載の流量制御装置の検査方法。
【請求項１０】
前記初期流量制御ステップにおいて、前記検査対象となる流量制御装置の前記第１バルブ制御部に設定流量と前記基準となる第２流量センサで測定される第２実測流量との偏差に基づいて前記第１バルブの開度を制御させ、
前記流量制御切替ステップにおいて、前記検査対象となる流量制御装置の前記第１バルブ制御部に設定流量と前記第１流量センサで測定される第１実測流量との偏差に基づいて前記第１バルブの開度を制御させる請求項１記載の流量制御装置の検査方法。
【請求項１１】
第１バルブ、流体の流量を測定する第１流量センサ、及び、前記第１バルブの開度を制御する第１バルブ制御部を備えた検査対象となる流量制御装置の検査に用いられる流量制御装置の検査システムであって、
流量が流れる流路上に、前記検査対象となる流量制御装置の下流側に設けられた基準となる第２流量センサと、
前記流路を流れる流体の流量が所定流量となる、又は、前記流路を流れる流体の圧力が所定圧力となるまでは、設定流量と前記第２流量センサで測定される第２実測流量との偏差に基づいて前記流路を流れる流体の流量を制御させる指令を出力する指令出力部と、
前記流路を流れる流体の流量が所定流量となった、又は、前記流路を流れる流体の圧力が所定圧力となった以降は、前記指令出力部が、前記検査対象となる流量制御装置に設定流量を示す設定指令信号を出力して、前記第１バルブ制御部に設定流量と前記第１流量センサで測定される第１実測流量の偏差に基づいて前記第１バルブの開度を制御させ前記流路を流れる流体の流量を制御させるように前記指令出力部の出力する指令を切り替えさせる流量制御切替部と、
前記検査対象となる流量制御装置が流量制御している状態において、前記検査対象となる流量制御装置で測定される第１実測流量を前記基準となる第２流量センサで測定される第２実測流量に基づいて検査する検査部とを備えたことを特徴とする流量制御装置の検査システム。
【請求項１２】
第１バルブ、流体の流量を測定する第１流量センサ、及び、前記第１バルブの開度を制御する第１バルブ制御部を備えた検査対象となる流量制御装置の検査に用いられるものであり、流量が流れる流路上に、前記検査対象となる流量制御装置の下流側に設けられた基準となる第２流量センサを備えた流量制御装置の検査システムに用いられるプログラムであって、
前記流路を流れる流体の流量が所定流量となる、又は、前記流路を流れる流体の圧力が所定圧力となるまでは、設定流量と前記第２流量センサで測定される第２実測流量との偏差に基づいて前記流路を流れる流体の流量を制御させる指令を出力する指令出力部と、
前記流路を流れる流体の流量が所定流量となった、又は、前記流路を流れる流体の圧力が所定圧力となった以降は、前記指令出力部が、前記検査対象となる流量制御装置に設定流量を示す設定指令信号を出力して、前記第１バルブ制御部に設定流量と前記第１流量センサで測定される第１実測流量の偏差に基づいて前記第１バルブの開度を制御させ前記流路を流れる流体の流量を制御させるように前記指令出力部の出力する指令を切り替えさせる流量制御切替部と、
前記検査対象となる流量制御装置が流量制御している状態において、前記検査対象となる流量制御装置で測定される第１実測流量を前記基準となる第２流量センサで測定される第２実測流量に基づいて検査する検査部としての機能をコンピュータに発揮させることを特徴とする流量制御装置の検査システム用プログラム。
【発明の詳細な説明】
【技術分野】
【０００１】
本発明は、半導体製造プロセス等においてガス又は液体等の流体の流量を制御する流量制御装置の検査方法、流量制御装置の検査システム、及び、流量制御装置の検査システム用プログラムに関するものである。
【背景技術】
【０００２】
例えば特許文献１には、流量制御装置で測定される流量が正しい値を示しているかどうかを検査する際に、検査が開始されるまでの待ち時間及び検査自体にかかる時間を大幅に短縮できる流量制御装置の検査方法が示されている。
【０００３】
この検査方法は、流路に対して上流から検査対象となる熱式流量制御装置、基準となる圧力式流量制御装置の順番で設けられている。さらに、熱式流量制御装置のバルブの開度は全開にし、圧力式流量制御装置のバルブの開度については設定流量と圧力式流量制御装置で測定される実測流量の偏差に基づいて制御される。このように検査対象である熱式流量制御装置は流量非制御状態にするとともに、基準である圧力式流量制御装置は流量制御状態とし、それぞれの流量制御装置で測定される各実測流量を比較することで熱式流量制御装置の実測流量が正しいか否かについての検査が行われる。
【０００４】
ところで、半導体製造プロセス等では短時間で流量制御装置の検査ができるだけでなく、特に低流量域における検査精度をさらに向上させることが求められている。
【先行技術文献】
【特許文献】
【０００５】
【特許文献１】ＷＯ２００８／０６９２２７号公報
【発明の概要】
【発明が解決しようとする課題】
【０００６】
本発明は上述したような問題を鑑みてなされたものであり、待ち時間及び実際に検査にかかる時間を短くしながら、低流量域における検査精度をさらに向上させることができる流量制御装置の検査方法、流量制御装置の検査システム、及び、流量制御装置の検査システム用プログラムを提供することを目的とする。
【課題を解決するための手段】
【０００７】
すなわち、本発明の流量制御装置の検査方法は、第１バルブ、流体の流量を測定する第１流量センサ、及び、前記第１バルブの開度を制御する第１バルブ制御部を備えた検査対象となる流量制御装置と、基準となる第２流量センサと、を用い、流体が流れる流路上に、上流側から前記検査対象となる流量制御装置、前記基準となる第２流量センサの順番で直列に設けた前記検査対象となる流量制御装置の検査方法であって、前記流路を流れる流体の流量が所定流量となる、又は、前記流路を流れる流体の圧力が所定圧力となるまでは、設定流量と前記第２流量センサで測定される第２実測流量との偏差に基づいて前記流路を流れる流体の流量を制御させる初期流量制御ステップと、前記流路を流れる流体の流量が所定流量となった、又は、前期流路を流れる流体の圧力が所定圧力となった以降は、前記第１バルブ制御部に設定流量と前記第１流量センサで測定される第１実測流量の偏差に基づいて前記第１バルブの開度を制御させて前記流路を流れる流体の流量を制御させる流量制御切替ステップと、設定流量と第１実測流量との偏差に基づいて前記流路を流れる流体の流量が制御されている状態において、前記検査対象となる流量制御装置で測定される第１実測流量を前記基準となる第２流量センサで測定される第２実測流量に基づいて検査する検査ステップとを備えたことを特徴とする。
【０００８】
ここで、「前記検査対象となる流量制御装置で測定される第１実測流量を前記基準となる第２流量センサで測定される第２実測流量に基づいて検査する」とは、第１実測流量が第２実測流量を基準として正しいか否かを検定することや、第２実測流量となるように第１実測流量を校正することを含む概念である。
【０００９】
このようなものであれば、前記初期流量制御ステップにおいて、設定流量と、前記検定対象となる流量制御装置よりも下流にある第２流量センサで測定される第２実測流量の偏差に基づいて流量制御が行われるので、信頼できる第２流量センサにより検査が開始されるまでに検査の前提となる流量や圧力を短時間で実現することができる。
【００１０】
また、前記流量制御切替ステップにおいて、前記第１バルブ制御部に設定流量と前記第１流量センサで測定される第１実測流量の偏差に基づいて前記第１バルブの開度を制御させるように流量制御を切り替えることにより、検査される第１実測流量が測定される前記第１流量センサの近傍にある第１バルブによる流量制御が行われる状態にできる。したがって、前記第１流量センサにおいて測定される第１実測流量の安定性を向上させることができる。さらに、前記検査対象となる流量制御装置が実際に使用されている状態を再現して検査を行うことができるので、より現実に即した検査が可能となる。
【００１１】
検査開始までの待ち時間を短縮しつつ、検査時における検査対象となる流量制御装置での流量の安定性や、実際の流量制御状態の再現度を向上させるための具体的な実施の態様としては、  第２バルブ、基準となる前記第２流量センサ、前記第２バルブの開度を制御する第２バルブ制御部を備えた基準となる流量制御装置が、前記検査対象となる流量制御装置の下流側に設けられており、前記初期流量制御ステップにおいて、前記検査対象となる流量制御装置の前記第１バルブ制御部には前記第１バルブの開度を一定で保たせて、前記検査対象となる流量制御装置を流量非制御状態とするとともに、前記基準となる流量制御装置には設定流量を与え、前記第２バルブ制御部に設定流量と前記第２流量センサで測定される第２実測流量の偏差に基づいて前記第２バルブの開度を制御させて、前記基準となる流量制御装置を流量制御状態とし、前記流量制御切替ステップにおいて、前記検査対象となる流量制御装置には設定流量を与え、前記第１バルブ制御部に設定流量と前記第１流量センサで測定される第１実測流量の偏差に基づいて前記第１バルブの開度を制御させて、前記検査対象となる流量制御装置を流量制御状態とするとともに、前記基準となる流量制御装置の前記第２バルブ制御部には前記第２バルブの開度を一定で保たせて、前記基準となる流量制御装置を流量非制御状態とするものが挙げられる
【００１２】
このようなものであれば、前記初期流量制御ステップにおいては、前記検査対象となる流量制御装置は流量非制御状態であり、かつ、前記第１バルブが一定開度に保たれているので、前記検査対象となる流量制御装置と前記基準となる流量制御装置との間の流路（デッドボリューム）に流入する流体の圧力を一気に上昇させて、判定ステップにおける判定を開始するのに必要な圧力や流量といった前提条件を短時間で整えることができ、検定や校正の開始までの待ち時間も非常に短くできる。
【００１３】
前記流量制御切替ステップにおいて、前記検査対象となる流量制御装置を流量制御状態とし、前記基準となる流量制御装置を第２バルブの開度が一定に保たれた流量非制御状態に切り替えることにより、検査される第１実測流量が測定される前記第１流量センサの近傍にある第１バルブによる流量制御が行われる状態になる。したがって、前記第１流量センサにおいて測定される第１実測流量の安定性を向上させることができる。さらに、前記検査対象となる流量制御装置が実際に使用されている状態を再現して検査を行うことができるので、より現実に即した検査が可能となる。
【００１４】
、、設定流量が低流量に設定されている場合でも第１実測流量を安定させることができるので、前記判定ステップにおける検査精度を従来よりも高くすることができる。また、下流側にある前記基準となる流量制御装置の前記第２バルブは一定開度に保たれているため、過剰な圧力がある場合には放出でき、検査時の流量の安定性をさらに高め、検査の精度も良くできる。
【００１５】
前記検査対象となる流量制御装置と前記基準となる流量制御装置との間の流路（デッドボリューム）に流入する流体の単位時間当たりの量を大きくして、短時間で必要な圧力を得て、検査開始までの待ち時間をできる限り短縮できるようにするには、前記初期流量制御ステップにおいて、前記検査対象となる流量制御装置の前記第１バルブ制御部に前記第１バルブの開度を全開にさせるようにしたものであればよい。
【００１６】
検査時において前記基準となる流量制御装置の前記第２バルブが検査に対して最も影響を与えにくくし、検査精度を向上させられるようにするには、前記切替ステップにおいて、前記基準となる流量制御装置の前記第２バルブ制御部に前記第２バルブの開度を全開にさせるようにしたものであればよい。
【００１７】
前記検査ステップにおいて、第１実測流量として測定可能なレンジ全体にわたって評価でき、より正確な判定を可能とするには、前記設定流量として複数の異なる値が設定され、前記判検査ステップでは各設定流量において前記検査対象となる流量制御装置で測定される第１実測流量を前記基準となる流量制御装置で測定される第２実測流量に基づいてそれぞれ検査するようにしたものが望ましい。
【００１８】
前記検査対象となる流量製装置の流量制御動作を安定させて、低流量域における検査もより精度よく行えるようにするには、前記配列ステップにおいて前記流路を流れる流体の圧力を一定となるように制御する圧力制御装置を前記検査対象となる流量制御装置の上流側、又は、前記検査対象となる流量制御装置と前記基準となる流量制御装置の間にさらに設けるようにすればよい。
【００１９】
各流量制御装置において測定原理の異なる流量測定を行い、前記検査対象となる流量制御装置の検査をより正確に行える具体的な実施の態様としては、前記検査対象となる流量制御装置の第１流量センサが流体の温度に基づいて流量を測定するものであり、前記基準となる流量制御装置の第２流量センサが流体の圧力に基づいて流量を測定するものにしたものが挙げられる。
【００２０】
前記検査対象となる流量制御装置の良否を簡単に判定するための具体的な実施の態様としては、前記検査ステップが、前記検査対象となる流量制御装置で測定される第１実測流量が、前記基準となる流量制御装置で測定される第２実測流量に対して所定範囲内にあるか否かを検定する検定ステップを含むものが上げられる。
【００２１】
前記検査対象となる流量制御装置が、前記基準となる流量制御装置と略同じ実測流量を出力できるようにするための具体的な実施の態様としては、前記検査ステップが、前記検査対象となる流量制御装置で測定される第１実測流量を前記基準となる流量制御装置で測定される第２実測流量に基づいて校正する校正ステップを含むものであればよい。
【００２２】
前記検査対象となる流量制御装置の第１バルブのみで、本発明による各効果を教授できるようにするための具体的な実施の態様としては、前記初期流量制御ステップにおいて、前記検査対象となる流量制御装置の前記第１バルブ制御部に設定流量と前記基準となる第２流量センサで測定される第２実測流量との偏差に基づいて前記第１バルブの開度を制御させ、前記流量制御切替ステップにおいて、前記検査対象となる流量制御装置の前記第１バルブ制御部に設定流量と前記第１流量センサで測定される第１実測流量との偏差に基づいて前記第１バルブの開度を制御させるものが挙げられる。
【００２３】
本発明の流量制御装置の検査システムの望ましい具体的な実施の態様としては、第１バルブ、流体の流量を測定する第１流量センサ、及び、前記第１バルブの開度を制御する第１バルブ制御部を備えた検査対象となる流量制御装置の検査に用いられる流量制御装置の検査システムであって、流量が流れる流路上に、前記検査対象となる流量制御装置の下流側に設けられた基準となる第２流量センサと、前記流路を流れる流体の流量が所定流量となる、又は、前記流路を流れる流体の圧力が所定圧力となるまでは、設定流量と前記第２流量センサで測定される第２実測流量との偏差に基づいて前記流路を流れる流体の流量を制御させる指令を出力する指令出力部と、前記流路を流れる流体の流量が所定流量となった、又は、前記流路を流れる流体の圧力が所定圧力となった以降は、前記指令出力部が、前記検査対象となる流量制御装置に設定流量を示す設定指令信号を出力して、前記第１バルブ制御部に設定流量と前記第１流量センサで測定される第１実測流量の偏差に基づいて前記第１バルブの開度を制御させ前記流路を流れる流体の流量を制御させるように前記指令出力部の出力する指令を切り替えさせる流量制御切替部と、前記検査対象となる流量制御装置が流量制御している状態において、前記検査対象となる流量制御装置で測定される第１実測流量を前記基準となる第２流量センサで測定される第２実測流量に基づいて検査する検査部とを備えたことを特徴とする流量制御装置の検査システムが挙げられる。
【００２４】
既存の流量制御装置の検査システムに、本発明としての機能及び効果を追加するには、第１バルブ、流体の流量を測定する第１流量センサ、及び、前記第１バルブの開度を制御する第１バルブ制御部を備えた検査対象となる流量制御装置の検査に用いられるものであり、流量が流れる流路上に、前記検査対象となる流量制御装置の下流側に設けられた基準となる第２流量センサを備えた流量制御装置の検査システムに用いられるプログラムであって、前記流路を流れる流体の流量が所定流量となる、又は、前記流路を流れる流体の圧力が所定圧力となるまでは、設定流量と前記第２流量センサで測定される第２実測流量との偏差に基づいて前記流路を流れる流体の流量を制御させる指令を出力する指令出力部と、前記流路を流れる流体の流量が所定流量となった、又は、前記流路を流れる流体の圧力が所定圧力となった以降は、前記指令出力部が、前記検査対象となる流量制御装置に設定流量を示す設定指令信号を出力して、前記第１バルブ制御部に設定流量と前記第１流量センサで測定される第１実測流量の偏差に基づいて前記第１バルブの開度を制御させ前記流路を流れる流体の流量を制御させるように前記指令出力部の出力する指令を切り替えさせる流量制御切替部と、前記検査対象となる流量制御装置が流量制御している状態において、前記検査対象となる流量制御装置で測定される第１実測流量を前記基準となる流量制御装置で測定される第２実測流量に基づいて検査する検査部としての機能をコンピュータに発揮させることを特徴とする流量制御装置の検査システム用プログラムを用いればよい。
【００２５】
なお、検査システム用プログラムは、ＣＤ、ＤＶＤ、フラッシュメモリ等の記録媒体に記録されたものの検査システム用プログラム記録媒体であってもよい。
【発明の効果】
【００２６】
このように本発明の流量制御装置の検査方法によれば、最初は下流側にある前記基準となる第２流量センサで測定される第２実測流量により流量制御を行い、検査の前提条件が整った途中からは前記検査対象となる流量制御装置の第１流量センサで測定される第１実測流量での流量制御に切り替えるように構成されているので、前記検査対象となる流量制御装置の検査時には前記第１流量センサの近くにある前記第１バルブで流量制御が行われ、測定される第１実測流量を低流量域でも安定させ検査精度を従来よりも向上させることができる。
【図面の簡単な説明】
【００２７】
【図１】本発明の一実施形態に係る流量制御装置の検査システムの全体を示す模式図。
【図２】同実施形態における初期状態での流量制御装置の検査システムを示す模式図。
【図３】同実施形態における検査開始条件が整った後の流量制御装置の検査システムを示す模式図。
【図４】同実施形態における流量制御装置の検査システムの検査時における動作を示すフローチャート。
【図５】本発明の別の実施形態における初期状態での流量制御装置の検査システムを示す模式図。
【図６】本発明の別の実施形態における検査開始条件が整った後の流量制御装置の検査システムを示す模式図。
【発明を実施するための形態】
【００２８】
本発明の一実施形態に係る流量制御装置の検査システムについて図１乃至４を参照しながら説明する。
【００２９】
本実施形態の流量制御装置の検査システムＡは、図１に示すように、例えば、半導体製造装置Ｐの一部として、そのプロセスチャンバＣに供給する各種ガスの流量制御を行う流量制御装置の検査に用いられるものである。具体的にこの半導体製造装置Ｐは、例えばプロセスガスやエッチングガスなどの半導体製造用の各種ガスが流れるガス供給ライン１ａ、１ｂ、・・・（以下、「ガス供給ライン１」と総称する）と、このガス供給ライン１が合流する合流点より下流側に並列して設けたチャンバ用ライン２及び検査用ライン３ａ、３ｂ、３ｃ（以下、「検査用ライン３」と総称する）と、ガス供給ライン１上にそれぞれ設けた検査対象となる流量制御装置４ａ、４ｂ、・・・（以下、「検査対象となる流量制御装置４」と総称する）と、検査用ライン３上にそれぞれ設けた基準となる流量制御装置５ａ、５ｂ、５ｃ（以下、「基準となる流量制御装置５」と総称する）と、検査対象となる流量制御装置４の上流側のガス供給ライン１上に設けた圧力制御装置６ａ、６ｂ・・・（以下、「圧力制御装置６」と総称する）と、各流量制御装置を所定動作させ検査対象となる流量制御装置４の第１実測流量ＱＣが基準となる流量制御装置５による第２実測流量ＱＳの所定範囲にあるか否かを判定する情報処理装置７と、を具備して成るものである。そして、前記流量制御装置の検査システム７は、少なくとも基準となる流量制御装置５と、情報処理装置７とを含むものであり、本実施形態ではさらに圧力制御装置６を含んでいる。言い換えると、流量制御装置の検査システム７は、検査対象となる流量制御装置４を含まない。
【００３０】
以下、各部を詳述する。
【００３１】
ガス供給ライン１は、上流側が各種ガスを収容する図示しないガスボンベにそれぞれ接続され、下流側を合流部１ｘで合流したものであり、単独のガスまたは混合ガスを、プロセスチャンバＣへ供給できるように構成されている。
【００３２】
チャンバ用ライン２は、ガス供給ライン１から流れてくる各種ガスを、プロセスチャンバＣに供給するためのラインである。検査時には、このチャンバ用ライン２に各種ガスが流れないようにするバルブ２Ｖを設けている。このバルブ２Ｖは、情報処理装置７によって開閉制御されるようにしている。
【００３３】
検査用ライン３は、前記合流部１ｘの下流側に並列して複数（本実施形態では３本）設けている。各検査用ライン３には、検査できる流量範囲の異なる、すなわち流量制御範囲の異なる、基準となる流量制御装置５を配置している。具体的には、検査用ライン３ａには、２０〜２００ＳＣＣＭの流量を測定（制御）できる基準となる流量制御装置５ａを配置し、検査用ライン３ｂには、２００〜２，０００ＳＣＣＭの流量を測定（制御）できる基準となる流量制御装置５ｂを配置し、検査用ライン３ｃには、２，０００〜２０，０００ＳＣＣＭの流量を測定（制御）できる基準となる流量制御装置５ｃを配置している。そして、これら基準となる流量制御装置５の上流側にはバルブ３Ｖａ、３Ｖｂ、３Ｖｃを設けている。さらに、非検査時には、この検査用ライン３に各種ガスが流れないようにするバルブ３Ｖｘを設けている。これらバルブ３Ｖａ〜３Ｖｃ及び３Ｖｘは、情報処理装置７によって開閉制御されるようにしている。
【００３４】
検査対象となる流量制御装置４は、本実施形態では、熱式の質量流量制御装置（熱式マスフローコントローラ）である。外部からの指令信号によって駆動されるものであり、前記指令信号として設定流量ＱＲを与えられた場合には、内部でローカルフィードバック制御を行ってその設定流量ＱＲとなるようにバルブを制御するほか、同指令信号の内容によっては、オープンループ制御を行い、バルブを全開あるいは全閉状態にすることもできる。内部構成としては、図２に示すように、筐体内には第１内部流路４０と、その第１内部流路４０内を流れる流体の流量を測定する第１流量センサ４１と、その第１流量センサ４１の例えば下流側に設けた第１バルブ４２と、第１バルブ制御部４３とを備えている。より具体的に各部を説明する。
【００３５】
第１内部流路４０は、詳細は図示しないが、ガス供給ライン１に接続される導入ポート及び導出ポートと、これらポート間で一旦分岐したのち合流する中空細管及びバイパス部とを備えたものである。
【００３６】
第１流量センサ４１は、例えば、中空細管に設けられた一対の感熱センサ（サーマルセンサ）を備えたものであって、流体の瞬時流量がこの感熱センサによって電気信号として検出され、内部電気回路によってその電気信号が増幅等されて、検出流量に応じた値を有する流量測定信号として出力される。
【００３７】
第１バルブ４２は、例えば、その開度をピエゾ素子が利用されたアクチュエータによって変化させ得るように構成したものである。アクチュエータは、第１バルブ制御部４３からの開度制御信号によって駆動され、弁開度は、その開度制御信号の値に応じた開度に調整される。
【００３８】
第１バルブ制御部４３は、図示しないＣＰＵや内部メモリ、Ａ／Ｄ変換器、Ｄ／Ａ変換器等を有したデジタル乃至アナログ電気回路、第１バルブ４２等と通信するための通信インタフェース、入力インタフェースなどで構成されたものである。そして、第１バルブ制御部４３は、前記内部メモリに記憶しているプログラムにしたがってＣＰＵやその周辺機器を協働動作させることによって、以下のような機能を実現するように構成してある。例えば、前記第１バルブ制御部４３は、情報処理装置７などの外部からの指令信号を受信してその内容を解釈し、例えば、指令信号が設定流量ＱＲを示す場合は、第１実測流量ＱＣがその設定流量ＱＲとなるようにローカルフィードバック制御する。具体的には、熱式の第１流量センサ４１で測定される第１実測流量ＱＣが、前記設定流量ＱＲとなるように、偏差にフィードバック演算を施したフィードバック値から第１バルブ４２の弁開度を制御する開度制御信号を生成し、その開度制御信号を第１バルブ４２に対して出力する。また、外部から入力される指令信号が全閉信号又は全開信号の場合には、第１バルブ制御部ローカルフィードバック制御を行わずにオープンループ制御によって全閉開度又は全開開度を維持させる開度制御信号を生成し、その開度制御信号を第１バルブ４２に対して出力する。
【００３９】
基準となる流量制御装置５は、ここでは差圧式の質量流量制御装置（差圧式マスフローコントローラ）であり、図２に示すように、ガスが流れる第２内部流路５０と、この第２内部流路５０の流路上に設けた第２バルブ５１と、差圧発生用の抵抗体５２と、その抵抗体５２の各端の圧力をそれぞれ測定する入口側圧力センサ５３、出口側圧力センサ５４と、導入口側の第２内部流路５０内を流れるガスの温度を検知する温度センサ５５と、第２バルブ制御部５６とを具備してなるものである。
【００４０】
第２内部流路５０は、上流端を導入ポート、下流端を導出ポートとしてそれぞれ開口するもので、導入ポートには、外部配管を介して空圧弁、圧力レギュレータおよびガスボンベ（いずれも図示せず）が接続されている。
【００４１】
第２バルブ５１は、詳細は図示しないが、例えば、その弁開度をピエゾ素子などよりなるアクチュエータによって変化させ得るように構成したものであって、第２バルブ制御部５６から開度制御信号を与えられることによって前記アクチュエータを駆動し、その開度制御信号の値に応じた弁開度に調整してガスの流量を制御するものである。
【００４２】
抵抗体５２は、流量制御バルブ５１から流れてくるガスを導入する導入口及び導出する導出口を備えて成り、これら導入出口間に差圧を発生させるものである。この実施形態では、抵抗体５２として、例えば、差圧が小さくなるほど、当該抵抗体５２を流れる流量の差圧微分値が小さくなる特性を有した層流素子などの非線形抵抗体を用いている。
【００４３】
圧力センサとしては、入口側圧力センサ５３と出口側圧力センサ５４との２つがある。入口側圧力センサ５３は、抵抗体５２の一次側、すなわち導入口側の第２内部流路５０を流れるガスの圧力を検知するものである。出口側圧力センサ５４は、抵抗体５２の二次側、すなわち導出口側の内部流路５０を流れるガスの圧力を検知するものである。本実施形態では、これら圧力センサ５３、５４に、絶対圧型の圧力センサを用いている。
【００４４】
これらの抵抗体５２、圧力センサ５３、５４、及び、各圧力センサ５３、５４で測定される圧力に基づき第２内部流路５０を流れる流体の流量を算出する流量算出部（図示しない）とから基準となる第２流量センサ５Ｓが構成してある。
【００４５】
第２バルブ制御部５６は、図示しないＣＰＵや内部メモリ、Ａ／Ｄ変換器、Ｄ／Ａ変換器等を有したデジタル乃至アナログ電気回路、第２バルブ５１等と通信するための通信インタフェース、入力インタフェースなどで構成されたものである。そして、第２バルブ制御部５６は、前記内部メモリに記憶しているプログラムにしたがってＣＰＵやその周辺機器を協働動作させることによって、以下のような機能を実現するように構成してある。例えば、前記第２バルブ制御部５６は、情報処理装置７などの外部からの指令信号を受信してその内容を解釈し、例えば、指令信号が設定流量ＱＲを示す場合は、第２実測流量ＱＳがその設定流量ＱＲとなるようにローカルフィードバック制御する。より具体的には、この第２バルブ制御部５６は、差圧式の第２流量センサ５Ｓで測定される第２実測流量ＱＳと設定流量ＱＲとの偏差を算出し、偏差に少なくとも比例演算（その他に積分演算、微分演算などを含めてもよい）を施して、第２バルブ５１をフィードバック制御する。すなわち、前記第２バルブ制御部５６は、偏差にフィードバック演算を施したフィードバック値を示す開度制御信号を生成し、その開度制御信号を流量制御バルブ５１に対して出力するように構成している。また、また、外部から入力される指令信号が全閉信号又は全開信号の場合には、第２バルブ制御部５６は、ローカルフィードバック制御を行わずにオープンループ制御によって全閉開度又は全開開度を維持させる開度制御信号を生成し、その開度制御信号を第２バルブ５１に対して出力する。
【００４６】
圧力制御装置６は、例えばレギュレータからなり、当該圧力制御装置６の下流側のラインの圧力を目標圧力となるようにフィードバック制御するものである。前記目標圧力の値は、情報処理装置７からの指令信号により設定できるようにしている。
【００４７】
情報処理装置７は、図示しないＣＰＵや内部メモリ、Ａ／Ｄ変換器、Ｄ／Ａ変換器等を有したデジタル乃至アナログ電気回路、検査対象となる流量制御装置４及び基準となる流量制御装置５の各部と通信するための通信インタフェース、入力インタフェース、液晶ディスプレイ等の表示装置などで構成されたもので、専用のものであってもよいし、一部又は全部にパソコン等の汎用コンピュータを利用するようにしたものであってもよい。また、ＣＰＵを用いず、アナログ回路のみで次の各部としての機能を果たすように構成してもよいし、その一部の機能を半導体製造装置Ｐにおける制御装置（図示省略）や各流量制御装置４、５の流量制御処理手段と兼用するなど、物理的に一体である必要はなく、有線乃至無線によって互いに接続された複数の機器からなるものであってもよい。
【００４８】
しかしてこの情報処理装置７は、前記内部メモリに流量制御装置の検査システム用プログラムが格納されており、そのプログラムにしたがってＣＰＵやその周辺機器が協働動作することによって、図２及び図３に示すように、指令出力部７１、流量制御切替部７２、検査部７３などとしての機能を少なくとも発揮する。以下、各部を詳述する。
【００４９】
指令出力部７１は、入力インタフェースの所定操作などによる検査開始命令をトリガとして、検査のための指令信号を出力し、検査対象となる流量制御装置４、基準となる流量制御装置５、圧力制御装置６に、それぞれ当該指令信号に基づく動作を行わせるものである。具体的な検査動作については後述する。
【００５０】
流量制御切替部７２は、基準となる流量測定装置５の第２流量センサ５Ｓから第２実測流量ＱＳを受け付けるとともに、前記検査対象となる流量制御装置４と前記基準となる流量制御装置５との間の流路３（デッドボリューム）に設けられた圧力センサＰから圧力Ｐｒを受け付けるように構成してある。そして、前記流量制御切替部７２は、第２実測流量ＱＳが所定流量となった、又は、前記圧力センサＰで実測される圧力Ｐｒが所定圧力となった場合に、前記指令出力部７１から出力される指令信号を切り替えさせ、検査対象となる流量制御装置４及び基準となる流量制御装置５の動作及び流量制御状態を切り替えさせるものである。
【００５１】
検査部７３は、検査対象となる流量測定装置４で測定される第１実測流量ＱＣを基準となる流量測定装置５で測定される第２実測流量ＱＳとに基づいて検査するものである。本実施形態では、検査対象となる流量測定装置４で測定される第１実測流量ＱＣと、基準となる流量測定装置５で測定される第２実測流量ＱＳとを比較し、第１実測流量ＱＣが、基準の第２実測流量ＱＳの所定範囲内にあるか否かを判定する検定を行い、その検定結果を出力するものである。検定結果の出力態様は、画面出力や印刷出力など実施態様に応じて適宜に設定できる。
【００５２】
次に、以上のように構成される流量制御装置の検査システムＡについて、その検査を行う手順を、図４のフローチャート及び図２及び３を参照して説明する。
【００５３】
まず、情報処理装置７の入力インタフェースをユーザが操作するなどして検査を開始する。すると、その検査開始命令が情報処理装置７の指令出力部７１に伝わる。
【００５４】
指令出力部７１は、この検査開始命令をトリガとして、指令信号を出力し、検査対象となる流量制御装置４に全開指令信号ＦＯを出力し、第１バルブ４３が全開となる流量非制御状態にする（ステップＳＴ１）。すなわち、この流量非制御状態において検査対象となる流量制御装置４は、マスフローメータとしての機能のみを営む。
【００５５】
またその一方で、指令出力部７１は、圧力制御装置６にも指令信号を出力し、該圧力制御装置６の下流側の流路３（デッドボリューム）の圧力を、前記指令信号に含まれる一定の目標圧力となるように、圧力制御装置６にローカルフィードバック制御させる（ステップＳＴ２）。
【００５６】
そして、当該指令出力部７１は、基準となる流量制御装置５に対し、設定流量ＱＲを含んだ指令信号を出力し、基準となる流量制御装置５にローカルフィードバック制御を行わせて、この基準となる流量制御装置５を流量制御状態（指令信号の示す設定流量ＱＲと実際に測定された第２実測流量ＱＳとの偏差に基づいて第２バルブ制御部５６がＰＩＤ制御等する状態）にする（ステップＳＴ３）。
【００５７】
前記基準となる流量制御装置５による流量制御は、流量制御切替部７２に受け付けられる第２実測流量ＱＳが所定流量となる、又は、前記圧力センサＰで測定される圧力Ｐｒが所定圧力になるまで継続される。ここで、所定流量とは設定流量ＱＲを基準として一定の範囲内にある流量であり、所定圧力とは目標圧力を基準として一定の範囲にある圧力である。すなわち、流路３の流体の流量又は圧力が設定流量ＱＲ又は目標圧力の近傍で安定し、検査開始条件が整うまでの間は前記基準となる流量制御装置５による流量制御が継続される。すなわち、図２で示した状態での制御が継続されることになる。
【００５８】
一方、前記流量制御切替部７２に受け付けられる第２実測流量ＱＳ又は圧力Ｐｒが所定流量又は所定圧力になった場合には、該流量制御切替部７２は、前記指令出力部７１から出力される指令信号を切り替えさせて、各流量制御装置４、５の流量制御状態を入れ替わらせる（ステップＳＴ４）。
【００５９】
すなわち、前記流量制御切替部７２は前記指令出力部７１が出力する指令信号を切り替えさせる。より具体的には、ステップＳＴ４以降においては前記指令出力部７１は、検査対象となる流量制御装置４に対して設定流量ＱＲを含んだ指令信号を出力し、検査対象となる流量制御装置４にローカルフィードバック制御を行わせて、この検査対象となる流量制御装置４を流量制御状態（指令信号の示す設定流量ＱＲと実際に測定された第１実測流量ＱＣとの偏差に基づいて第１バルブ制御部４３がＰＩＤ制御等する状態）にする（ステップＳＴ５）。
【００６０】
一方、ステップＳＴ４以降においては基準となる流量制御装置５に対して前記指令出力部７１は、全開指令信号ＦＯを含む指令信号を出力し、第２バルブ５１が全開となる流量非制御状態とする（ステップＳＴ６）。すなわち、この流量非制御状態において基準となる流量制御装置５は、マスフローメータとしての機能のみを営む。なお、ステップＳＴ５、ステップＳＴ６における制御状態は図３に示されるようなものとなる。
【００６１】
次に検査部７３が、受信した第１実測流量ＱＣと第２実測流量ＱＳとを比較する。そして、検査用の流量測定信号の示す第１実測流量ＱＣが、基準の流量測定信号の示す第２実測流量ＱＳの所定範囲内にあるか否かを判定する検定を行い、その検定結果を出力する（ステップＳＴ７）。
【００６２】
なお、この実施形態では、検査対象となる流量制御装置４及び基準となる流量制御装置５によって流体の流量を異なる値の複数ポイントで制御するようにし、各ポイントにおいて、前記検査対象となる流量制御装置４の第１実測流量ＱＣが、前記基準となる流量制御装置５の第２実測流量ＱＳの所定範囲内にあるか否かを、前記検査部７３がそれぞれ判定するようにしている（ステップＳＴ９、及びステップＳＴ１〜８の繰り返しによる）。このように、数ポイントで各実測流量を比較することでより幅広い流量レンジで正確な流量検査の検定結果を得られる。
【００６３】
しかして、このように構成した流量制御装置の検査システムＡによれば、まず、前記検査部７３による検定が開始される前に検査対象となる流量制御装置４を流量非制御状態にし、基準となる流量制御装置５によって流体流量を所定流量に制御することにより、短時間で検査対象となる流量制御装置４と基準となる流量制御装置５との間の流路３における流体の圧力を短時間で目標圧力までチャージすることができる。すなわち、検定が開始されるまでの待ち時間は従来と同じように短時間にすることができる。
【００６４】
検定開始の条件が整った後は、検査対象となる流量制御装置４を流量制御状態とし、基準となる流量制御装置５は流量非制御状態としてマスフローメータとして機能させるようにしてあるので、検査される流量である第１実測流量ＱＣが測定される第１流量センサ４１の近くにある第１バルブ４２で流量制御ができる。したがって、それぞれの距離が離れていないことから、設定流量ＱＲが低流量域であったとしても流量制御が安定しやすく、第１実測流量ＱＣにふらつき等が生じにくい。このため、検査対象となる流量制御装置４が流量制御状態にある中で検査部７３が行う第１実測流量ＱＣが第２実測流量ＱＳに対して所定範囲内にあるかどうかを判定も安定しやすく、検査及び検定の精度を特に低流量域においても向上させることができる。また、検査部７３が判定行うときには、基準となる流量制御装置５の第２バルブ５１は全開状態であるので、過大な圧力が流路３にあった場合でも速やかに解消することができ、このことでも検査の安定性や精度の向上に寄与する。また、検査対象となる流量制御装置４と基準となる流量制御装置５との間の圧力を、圧力制御装置６で一定に制御するため、検査対象となる流量制御装置４の動作を安定させて、検査を円滑に行える。
【００６５】
また、検査対象となる流量制御装置４及び基準となる流量制御装置５によって流体の流量を複数ポイントで制御するようにし、各ポイントにおいて、前記検査対象となる流量制御装置４の第１実測流量ＱＣが、前記基準となる流量制御装置５の第２実測流量ＱＳの所定範囲内にあるか否かをそれぞれ判定するようにしている。したがって、流量のリニアリティ及びゼロ点がわかるようになるので、より正確な判定を行える。
【００６６】
さらに、検査対象となる流量制御装置４に熱式のものを用い、基準となる流量制御装置５に差圧式のものを用いるため、低価格で高性能なガスシステムの構築が可能となる。
【００６７】
加えて、基準となる流量制御装置５に、その圧力センサ５３、５４よりも上流に流量制御バルブ５１が配置されたものを用い、センサ５３、５４をチャンバ側（真空側）にしているため、圧力変化範囲を限定することができ、より高精度な検査が可能となる。
【００６８】
また、検査用ライン３を複数設け、それぞれの検査用ライン３に、検査できる流量範囲の異なる、換言すると流量制御範囲の異なる、基準となる流量制御装置５を配置しているため、ユーザが検査したい流量範囲での検査を、精度良く行うことができる。
【００６９】
本発明の別の実施形態について図５及び図６を参照しながら説明する。なお、前記実施形態と対応する部材には同じ符号を付すこととする。
【００７０】
この実施形態では、流路上にはバルブは検査対象となる流量制御装置４の第１バルブ４２のみが存在しており、基準となる流量制御装置５の代わりに、基準となる第２流量センサ５Ｓのみが検査対象となる流量制御装置４の下流側に設けてある。  
【００７１】
そして、検査が開始できる条件が整うまでは図５に示すように設定流量と前記第２流量センサ５Ｓで測定される第２実測流量との偏差に基づいて第１バルブ制御部４３での流量フィードバック制御が行われ、検査が開始されてからは図６に示すように設定流量と第１流量センサ４１で測定される第１実測流量との偏差に基づいて第１バルブ制御部４３での流量フィードバック制御が行われるようにしてある。つまり、検査開始前から終了まで第１バルブ４２のみで流路を流れる流体の流量の制御が実行されるが、サンプリングされる測定流量は切り替えられることになる。
【００７２】
言い換えると、この実施形態の流量制御装置の検査システムＡは、第１バルブ４２、流体の流量を測定する第１流量センサ４１、及び、前記第１バルブ４２の開度を制御する第１バルブ制御部４３を備えた検査対象となる流量制御装置４を検査するためのものであって、基準となる第２流量センサ５Ｓと、前記流路を流れる流体の流量が所定流量となる、又は、前記流路を流れる流体の圧力が所定圧力となるまでは、設定流量と前記第２流量センサで測定される第２実測流量との偏差に基づいて前記流路を流れる流体の流量を制御させる指令を出力する指令出力部７１と、前記流路を流れる流体の流量が所定流量となった、又は、前記流路を流れる流体の圧力が所定圧力となった以降は、前記指令出力部が、前記検査対象となる流量制御装置に設定流量を示す設定指令信号を出力して、前記第１バルブ制御部４３に設定流量と前記第１流量センサ４１で測定される第１実測流量の偏差に基づいて前記第１バルブ４２の開度を制御させ前記流路を流れる流体の流量を制御させるように前記指令出力部７１の出力する指令を切り替えさせる流量制御切替部７２と、前記検査対象となる流量制御装置４が流量制御している状態において、前記検査対象となる流量制御装置４で測定される第１実測流量を前記基準となる第２流量センサで測定される第２実測流量に基づいて検査する検査部７３とを備えたことを特徴とする。
【００７３】
このようなものであって、前記実施形態と同様に検査開始までの待ち時間を短縮するとともに、検査時には実際の流量制御状態を再現しつつ、第１流量センサ４１の近傍にある第１バルブ４２での流量制御により低流量域での安定性を向上させて検定や校正などの検査精度を高めることができる。
【００７４】
なお、この実施形態で示したように、検査対象となる流量制御装置４の第１バルブ４２のみで流量制御を行いながら、検査を行う方法については、前記実施形態のように検査対象となる流量制御装置４の下流に基準となる流量制御装置５が設けられている場合にも適応してもよい。すなわち、基準となる流量制御装置５がある場合でも第２バルブ５１を使用せずに検定や校正等の検査を行うようにしてもよい。
【００７５】
その他の実施形態について説明する。
【００７６】
前記実施形態では、検査対象となる流量制御装置は熱式の流量制御装置であり、基準となる流量制御装置は圧力式の流量制御装置であったが、測定原理については特には限定されない。例えば、検査対象となる流量制御装置及び基準となる流量制御装置の両方が、差圧式の流量制御装置、あるいは、熱式流量制御装置であっても構わない。あるいは、検査対象となる流量制御装置が圧力式の流量制御装置であり、かつ、基準となる流量制御装置が熱式の流量制御装置であってもかまわない。
【００７７】
また、前記実施形態では検査部は、検査対象の流量制御装置で測定される第１実測流量が基準となる流量制御装置で測定される第２実測流量に対して所定の範囲内にあるかどうかを判定する検定のみを行うように構成していたが、前記検査部を検査対象の流量制御装置を校正するように構成してもかまわない。より具体的には、前記検査部が、前記検査対象となる流量制御装置で測定される第１実測流量を前記基準となる流量制御装置で測定される第２実測流量に基づいて校正するように構成してもよい。例えば、第１実測流量と第２実測流量を比較することなく、第２実測流量となるように前記検査対象となる流量制御装置に記憶されている検量線や流量算出式の設定パラメータを変更するようにしてもよい。要するに、検査部において第１実測流量が正しい値を示しているかどうかを判定するだけでなく、第１実測流量が正しい値を示すように何らかの設定の変更まで行うようにしてもよい。
【００７８】
前記実施形態では圧力制御装置により流体の圧力を一定にするように構成していたが、圧力制御装置を省略し、基準となる流量制御装置の流量制御の結果、圧力がチャージされ、一定の圧力で保たれるようにしても構わない。なお、圧力制御装置については検査対象の流量制御装置と基準となる流量制御装置の間に設けても構わない。また、各流量制御装置の流量制御状態又は流量非制御状態の切替については、圧力が所定圧力になったことと流量が所定流量となったことの両方を条件としてもよいし、何れか一方だけを切替条件としてもよい。なお、前記実施形態では、流量制御切替部は基準となる流量制御装置の第２実測流量を監視し、その値によって流量制御状態及び流量非制御状態を指令出力部に切り替えさせるように構成されていたが、例えば、検査対象となる流量制御装置の第１実測流量に基づいて切替を行うようにしても構わない。
【００７９】
さらに、前記流量制御切替部は、流体の圧力が一定になる、あるいは、流体の流量が一定になるといった安定状態に入った時点で核流量制御装置の流量制御状態又は流量非制御状態を切り替えるものであってもよいし、安定状態になってから所定時間経過した後に流量制御状態又は流量非制御状態を切り替えるものであってもよい。言い換えると、安定状態が継続した後に各流量制御装置の流量制御状態又は流量非制御状態を切り替えるように前記流量制御切替部を構成してもよい。
【００８０】
また、流量非制御状態においてはバルブの開度は全開だけに限られず、所定の一定開度で保たれるものであってもよい。要するに圧力のチャージに時間がかからない、あるいは、検査部における検査の邪魔にならない程度であれば、全開状態の近傍の開度で一定に保ち、流量非制御状態を実現しても構わない。加えて、設定流量は流量制御の切替前後において異なる値であってもかまわない。
【００８１】
既存の流量制御装置の検査システムに対して本発明の構成を追加し、その効果を享受できるようにするには、少なくとも前記実施形態の指令出力部、流量制御切替部、検査部としての機能を実現するための検査システム用プログラム、又は、前記プログラムが記録されたプログラム記録媒体を利用すればよい。
【００８２】
その他、本発明の趣旨に反しない限りにおいて様々な変形や実施形態の組み合わせを行っても構わない。
【符号の説明】
【００８３】
Ａ    ・・・流量制御装置の検査システム
３    ・・・流路
４    ・・・検査対象となる流量制御装置
４１  ・・・第１流量センサ
４２  ・・・第１バルブ
４３  ・・・第１バルブ制御部
５    ・・・基準となる流量制御装置
５１  ・・・第２バルブ
５Ｓ  ・・・第２流量センサ
５６  ・・・第２バルブ制御部
７１  ・・・指令出力部
７２  ・・・流量制御切替部
７３  ・・・検査部
【図１】
2015203898.tif 000003
【図２】
2015203898.tif 000004
【図３】
2015203898.tif 000005
【図４】
2015203898.tif 000006
【図５】
2015203898.tif 000007
【図６】
2015203898.tif 000008